【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
フック状端部で終端するワイパ本体と、
所定距離だけ互いに分離された、前記ワイパ本体から延在する１対のフランジであって、各フランジが前記フランジ間においてＣ字状開口を形成するように湾曲端部を有する１対のフランジとを備える、ワイパ。
【請求項２】
さらに、
前記フック状端部とは反対側の端部において前記ワイパ本体上に配置され且つ前記フランジの一方に隣接する尖端部を備える、請求項１に記載のワイパ。
【請求項３】
フック状端部で終端する本体と、所定距離だけ互いに分離された、前記ワイパ本体から延在する１対のフランジであって、各フランジが前記フランジ間においてＣ字状開口を形成するように湾曲端部を有する１対のフランジと、前記フック状端部とは反対側の端部において前記ワイパ本体上に配置され且つ前記フランジの一方に隣接する尖端部とを有するワイパと、
前記フランジ間において前記Ｃ字状開口内に配置された取付部材であって、長手方向軸に沿った前記ワイパ本体の長さよりも長い長手方向軸に沿った長さを有する取付部材と、
印刷ヘッドのフェースプレートと係合及び係合解除するように前記ワイパ本体の前記フック状端部を移動させるように前記取付部材に動作可能に接続された機構と、
前記フェースプレートの少なくとも一部を拭き取るように前記印刷ヘッドの前記フェースプレートに沿って前記ワイパ本体の前記フック状端部を移動させるための並進機構とを備える、印刷ヘッドワイピングアセンブリ。
【請求項４】
さらに、
前記フランジの前記湾曲端部間において前記取付部材から延在する補強部材を備える、請求項３に記載の印刷ヘッドワイピングアセンブリ。
【請求項５】
前記補強部材が、少なくとも１つのネジ部材によって前記取付部材に取り付けられ、前記少なくとも１つのネジ部材の頭部が前記ワイパの本体に隣接している、請求項４に記載の印刷ヘッドワイピングアセンブリ。
【請求項６】
前記印刷ヘッドの前記フェースプレートと係合及び係合解除するように前記ワイパ本体の前記フック状端部を移動させる前記機構が第１の回転機構である、請求項３に記載の印刷ヘッドワイピングアセンブリ。
【請求項７】
前記第１の回転機構が、さらに、
前記取付部材に動作可能に接続されたブラケットであって、回動部材の周囲に配置されたブラケットと、
前記ブラケットに動作可能に接続された少なくとも１つのアクチュエータであって、前記ブラケットを前記回動部材まわりに回転させ、前記取付部材及び前記ワイパを回転させて前記印刷ヘッドの前記フェースプレートを前記ワイパと係合及び係合解除するように構成された少なくとも１つのアクチュエータとを備える、請求項６に記載の印刷ヘッドワイピングアセンブリ。
【請求項８】
前記取付部材は、さらに、各端部においてＵ字状に形成され、
前記印刷ヘッドワイピングアセンブリが、さらに、
各部材が少なくとも１つの開口を有する１対の部材と、
少なくとも１対のネジ部材であって、一方のネジ部材が、前記部材の一方の前記少なくとも１つの開口を通って前記ブラケット内まで突き抜けて前記取付部材および前記ワイパの一端部を前記ブラケットに固定し、他方のネジ部材が、前記の部材の他方の前記少なくとも１つの開口を通って別の回転機構の別のブラケット内まで突き抜けて、前記取付部材および前記ワイパの他端部を前記別のブラケットに固定する、少なくとも１対のネジ部材とを備える、請求項７に記載の印刷ヘッドワイピングアセンブリ。
【請求項９】
前記ワイパの前記フック状端部から前記回動部材までの距離は、前記ワイパの前記フック状端部の内部曲率半径の約１０倍である、請求項８に記載の印刷ヘッドワイピングアセンブリ。
【請求項１０】
前記アクチュエータと、前記第１の回転機構の前記ブラケットとが、さらに、前記ワイパの垂直位置を調整するように構成される、請求項７に記載の印刷ヘッドワイピングアセンブリ。
【請求項１１】
前記第１の回転機構は、さらに、
前記ブラケットに動作可能に接続されたラックを備え、
前記並進機構は、さらに、
駆動部と、前記駆動部に搭載されるギアとを有する少なくとも１つのアクチュエータを備え、
前記回転機構の前記ラックは、前記ワイパで前記印刷ヘッドの前記フェースプレートを拭き取るために、前記ギアが前記ラックと係合して前記ブラケットを直線経路で移動できるように前記ギアに隣接して配置される、請求項７に記載の印刷ヘッドワイピングアセンブリ。
【請求項１２】
前記並進機構は、さらに、
前記ラックが前記ギアと係合したままであるように前記ラックを付勢する位置に設けられるガイドを備える、請求項１１に記載の印刷ヘッドワイピングアセンブリ。
【請求項１３】
さらに、
前記第１の回転機構において前記少なくとも１つのアクチュエータを動作させて第１の位置と第２の位置との間において前記ワイパを回転させ、前記ワイパが前記第２の位置にあるときに前記並進機構において前記少なくとも１つのアクチュエータを動作させて前記ワイパを前記印刷ヘッドの前記フェースプレートを横切って移動させるように構成されたコントローラを備える、請求項７に記載の印刷ヘッドワイピングアセンブリ。
【請求項１４】
フック状端部で終端する本体と、所定距離だけ互いに分離された、前記他のワイパ本体から延在する１対のフランジであって、他のワイパの各フランジが前記フランジ間においてＣ字状開口を形成するように湾曲端部を有する１対のフランジと、前記フック状端部とは反対側の端部において前記ワイパ本体上に配置され且つ前記フランジの一方に隣接する尖端部とを有する他のワイパと、
前記フランジ間において前記他のワイパの前記Ｃ字状開口内に配置された他の取付部材であって、長手方向軸に沿った前記ワイパ本体の長さよりも長い長手方向軸に沿った長さを有する他の取付部材と、
前記他の取付部材に動作可能に接続された第２の回転機構であって、前記印刷ヘッドの前記フェースプレートと係合及び係合解除するように前記他のワイパ本体の前記フック状端部を移動させるように前記第１の位置と前記第２の位置との間において前記他のワイパを回転させるように構成された少なくとも１つの他のアクチュエータを有する第２の回転機構とをさらに備え、
前記コントローラが、さらに、
前記第１の回転機構において前記少なくとも１つのアクチュエータを動作させて前記ワイパを前記第１の位置まで回転させ、
前記第２の回転機構において前記少なくとも１つのアクチュエータを動作させて前記他のワイパを前記第２の位置まで回転させ、
前記並進機構において前記少なくとも１つのアクチュエータを動作させ、前記他のワイパが前記第２の位置にあるときに前記印刷ヘッドの前記フェースプレートを横切って前記他のワイパの移動を反転させるように構成されている、請求項１３に記載の印刷ヘッドワイピングアセンブリ。
【請求項１５】
前記ワイパが前記第２の位置にあるときの前記ワイパの前記フック状端部が前記フェースプレートに近接しているが、前記フック状端部が前記フェースプレートに係合していない、請求項１３に記載の印刷ヘッドワイピングアセンブリ。
【請求項１６】
前記コントローラが、さらに、
前記第１の回転機構において前記少なくとも１つのアクチュエータを動作させて、前記ワイパの前記フック状端部が前記フェースプレートと係合する第３の位置まで前記ワイパを回転させ、
前記フック状端部が前記フェースプレートと係合しているときに、前記並進機構において前記少なくとも１つのアクチュエータを動作させて、前記印刷ヘッドの前記フェースプレートを横切って前記ワイパを移動させるように構成されている、請求項１３に記載の印刷ヘッドワイピングアセンブリ。
【手続補正２】
【補正対象書類名】明細書
【補正対象項目名】発明の名称
【補正方法】変更
【補正の内容】
【発明の名称】ワイパ及び印刷ヘッドワイピングアセンブリ